(57)【要約】【課題】印刷ジョブの設定上発生してしまう空白領域を有効に活用できる画像形成装置を提供する。【解決手段】印刷ジョブに設定された印刷設定情報に基づき、印刷ジョブの画像データを用紙に印刷する画像形成装置１０である。印刷設定情報を受け付ける設定情報受付部３１と、設定情報受付部により受け付けられた印刷設定情報に応じて用紙に対する空白領域の有無を判定する空白領域判定部３２と、空白領域判定部により判定された空白領域に所定の罫線の画像を設定させる罫線設定部３３と、を備える。【選択図】図１
2015177232.tif 000002
【特許請求の範囲】
【請求項１】
印刷ジョブに設定された印刷設定情報に基づき、前記印刷ジョブの画像データを用紙に印刷する画像形成装置であって、
前記印刷設定情報を受け付ける設定情報受付部と、
該設定情報受付部により受け付けられた印刷設定情報に応じて前記用紙に対する空白領域の有無を判定する空白領域判定部と、
該空白領域判定部により判定された空白領域に所定の罫線の画像を設定させる罫線設定部と、を備えたことを特徴とする画像形成装置。
【請求項２】
請求項１に記載の画像形成装置であって、
前記画像データを受け付ける画像受付部をさらに備え、該画像受付部により受け付けられた画像データが文章を含む場合、前記罫線設定部は、前記罫線を印刷するページの直近ページの文章の書式情報に沿うように、前記空白領域に前記所定の罫線の画像を設定させることを特徴とする画像形成装置。
【請求項３】
請求項１に記載の画像形成装置であって、
前記画像データを受け付ける画像受付部をさらに備え、該画像受付部により受け付けられた画像データが文章を含む場合、前記罫線設定部は、前記罫線を印刷するページと同じページの文章の書式情報に沿うように、前記空白領域に前記所定の罫線の画像を設定させることを特徴とする画像形成装置。
【請求項４】
請求項１から３のいずれか１項に記載の画像形成装置であって、
前記設定情報受付部により受け付けられた印刷設定情報は、両面印刷、中折り印刷あるいは中とじ印刷のいずれか１つであることを特徴とする画像形成装置。
【請求項５】
請求項１に記載の画像形成装置であって、
前記画像データを受け付ける画像受付部をさらに備え、前記設定情報受付部により受け付けられた印刷設定情報が両面印刷であり、かつ、前記画像受付部により受け付けられた画像データが図面を含む場合、前記罫線設定部は、前記図面の裏側に印刷される罫線の濃度が文章の裏側に印刷される罫線の濃度よりも低くなるように、前記空白領域に前記所定の罫線の画像を設定させることを特徴とする画像形成装置。
【請求項６】
請求項１に記載の画像形成装置であって、
前記画像データを受け付ける画像受付部をさらに備え、前記設定情報受付部により受け付けられた印刷設定情報が両面印刷であり、かつ、前記画像受付部により受け付けられた画像データが図面を含む場合、前記罫線設定部は、前記図面の裏側に印刷される罫線の濃度が文章の裏側に印刷される罫線の濃度よりも低くなるように、前記空白領域への前記所定の罫線の画像形成を禁止させることを特徴とする画像形成装置。
【発明の詳細な説明】
【技術分野】
【０００１】
本発明は画像形成装置に関し、詳細には、印刷ジョブに設定された印刷設定情報に基づき、この印刷ジョブの画像データを用紙に印刷する画像形成装置に関する。
【背景技術】
【０００２】
この種の画像形成装置では、印刷ジョブの画像データを光学的にあるいはネットワーク経由で受け付けて用紙に印刷できる。また、印刷ジョブを実行する際には、例えば、両面印刷、カラーモード印刷、固定倍率／ズーム印刷、サドル印刷（中折り・中とじ印刷ともいう）など、様々な印刷設定情報を設定できる。
ここで、例えば両面印刷において、受け付けた画像データの合計ページ数が奇数であった場合、裏ページは、画像が形成されない空白領域になる。そのため、例えば、特許文献１には、空白領域に広告を印刷する技術が開示されている。
【先行技術文献】
【特許文献】
【０００３】
【特許文献１】特開２００１−１３８２２号公報
【発明の概要】
【発明が解決しようとする課題】
【０００４】
ところで、印刷ジョブの設定上発生してしまう空白領域を有効に活用したいが、特許文献１のような広告を用いる場合、データの更新作業が別途必要になるという問題がある。また、広告では、印刷物の内容に無関係の内容が印刷される場合や、空白領域の大きさによっては広告主の意に反するアスペクト比で印刷される場合もある。さらに、仮に広告が裏映りすると、広告の裏側に印刷された文章が見え難くなるという問題もある。
【０００５】
本発明は、上述のような実情に鑑みてなされたもので、印刷ジョブの設定上発生してしまう空白領域を有効に活用できる画像形成装置を提供することを目的とする。
【課題を解決するための手段】
【０００６】
上記課題を解決するために、本発明の第１の技術手段は、印刷ジョブに設定された印刷設定情報に基づき、前記印刷ジョブの画像データを用紙に印刷する画像形成装置であって、前記印刷設定情報を受け付ける設定情報受付部と、該設定情報受付部により受け付けられた印刷設定情報に応じて前記用紙に対する空白領域の有無を判定する空白領域判定部と、該空白領域判定部により判定された空白領域に所定の罫線の画像を設定させる罫線設定部と、を備えたことを特徴としたものである。
【０００７】
第２の技術手段は、第１の技術手段において、前記画像データを受け付ける画像受付部をさらに備え、該画像受付部により受け付けられた画像データが文章を含む場合、前記罫線設定部は、前記罫線を印刷するページの直近ページの文章の書式情報に沿うように、前記空白領域に前記所定の罫線の画像を設定させることを特徴としたものである。
【０００８】
第３の技術手段は、第１の技術手段において、前記画像データを受け付ける画像受付部をさらに備え、該画像受付部により受け付けられた画像データが文章を含む場合、前記罫線設定部は、前記罫線を印刷するページと同じページの文章の書式情報に沿うように、前記空白領域に前記所定の罫線の画像を設定させることを特徴としたものである。
【０００９】
第４の技術手段は、第１から３のいずれか１の技術手段において、前記設定情報受付部により受け付けられた印刷設定情報は、両面印刷、中折り印刷あるいは中とじ印刷のいずれか１つであることを特徴としたものである。
【００１０】
第５の技術手段は、第１の技術手段において、前記画像データを受け付ける画像受付部をさらに備え、前記設定情報受付部により受け付けられた印刷設定情報が両面印刷であり、かつ、前記画像受付部により受け付けられた画像データが図面を含む場合、前記罫線設定部は、前記図面の裏側に印刷される罫線の濃度が文章の裏側に印刷される罫線の濃度よりも低くなるように、前記空白領域に前記所定の罫線の画像を設定させることを特徴としたものである。
【００１１】
第６の技術手段は、第１の技術手段において、前記画像データを受け付ける画像受付部をさらに備え、前記設定情報受付部により受け付けられた印刷設定情報が両面印刷であり、かつ、前記画像受付部により受け付けられた画像データが図面を含む場合、前記罫線設定部は、前記図面の裏側に印刷される罫線の濃度が文章の裏側に印刷される罫線の濃度よりも低くなるように、前記空白領域への前記所定の罫線の画像形成を禁止させることを特徴としたものである。
【発明の効果】
【００１２】
本発明によれば、用紙に対する空白領域が印刷設定情報に応じて発生した場合、空白領域には罫線の画像が形成されるので、この罫線が付された領域をメモ欄として有効に活用することができる。
【図面の簡単な説明】
【００１３】
【図１】本発明による画像形成装置の機能構成例を示すブロック図である。
【図２】本発明による罫線付加処理のフローチャートである。
【図３】本発明による罫線付加処理のフローチャートで、図２に続く図である。
【図４】本発明による罫線付加処理に係る第１の実施形態を説明する図である。
【図５】第１の実施形態の処理の流れを説明するためのフローチャートである。
【図６】本発明による罫線付加処理に係る第２の実施形態を説明する図である。
【図７】第２の実施形態の処理の流れを説明するためのフローチャートである。
【図８】本発明による罫線付加処理に係る第３の実施形態を説明する図である。
【図９】第３の実施形態の処理の流れを説明するためのフローチャートである。
【発明を実施するための形態】
【００１４】
以下、図面を参照しながら本発明の画像形成装置について説明する。図１は、本発明による画像形成装置の機能構成例を示すブロック図である。画像形成装置１０は、原稿読取部１１、通信部１２、表示／操作部１３、印刷部１４、画像処理部１５、記憶部１６、制御部１７等を有し、これらはバス１８を介して接続される。
原稿読取部１１は原稿の画像データを光学的に読み取り可能である。通信部１２は、例えば、ＦＡＸ通信部、インターネット用通信部、赤外線通信部等を備えている。なお、原稿読取部１１や通信部１２が本発明の画像受付部に相当する。
【００１５】
制御部１７は、通信部１２を介して外部機器（図示省略）と通信可能である。制御部１７は、例えば、１あるいは複数個のＣＰＵ（Central Processing Unit）等からなり、記憶部１６の例えば、ＲＯＭ（Read Only Memory）に格納されている各種のプログラムやデータをＲＡＭ（Random Access Memory）にロードし、このロードしたＲＡＭ内のプログラムを実行する。これにより、データを処理しつつ、ユーザからの指示内容等に基づいて画像形成装置１０の全体の動作を制御する。
【００１６】
表示／操作部１３は、例えば、液晶パネルなどのディスプレイと透明抵抗膜方式などのタッチパネルからなる操作パネルを有し、ディスプレイには、画像形成装置１０の操作メニュー画面や、印刷ジョブのプレビュー画像などを表示できる。タッチパネルはディスプレイに重ねて設けられ、ユーザによる操作入力を受け付ける。なお、表示／操作部１３は、接点を用いたハードキーやボタンなどからなる操作キーを有してもよい。
【００１７】
画像処理部１５は、原稿読取部１１で光学的に読み取った原稿の画像データや通信部１２で受信したプリントデータの画像データに種々の処理を行って印刷実行データを生成する。この印刷実行データが印刷部１４に出力される。
記憶部１６は、これら受け付けた画像データや生成した印刷実行データを画像記憶エリア２１に格納できる。なお、記憶部１６は、後述するように、両面印刷や中折り・中とじ印刷など、印刷ジョブを実行する際に設定される印刷設定情報を設定情報記憶エリア２２に、縦書きや横書き等の文章の記載方向、文字間隔（字送りともいう）、行間隔（行送りともいう）を書式情報記憶エリア２３に、空白ページの枚数をカウント記憶エリア２４に格納できる。
【００１８】
また、画像処理部１５は、設定情報受付部３１、空白領域判定部３２、罫線設定部３３を有している。設定情報受付部３１は、例えば、両面印刷や中折り・中とじ印刷など、設定情報記憶エリア２２の印刷設定情報を受け付けて空白領域判定部３２に送る。
空白領域判定部３２は、この印刷設定情報に応じて用紙に対する空白領域の有無を判定する。例えば、両面印刷や中折り・中とじ印刷において、受け付けた画像データの合計ページ数が奇数であった場合のように、原稿やプリントデータには空白領域が含まれていないが、画像処理部１５側で空白領域を意図的に挿入する必要があるときに、空白領域判定部３２は空白領域が生ずると判定し、その判定結果を罫線設定部３３に送る。
【００１９】
あるいは、両面印刷や中折り・中とじ印刷において、例えば、主走査方向や副走査方向に走査して画素値の０と１との反転回数から検出できるように、原稿に空白領域が含まれ、画像処理部１５側が原稿の読み取り結果から空白領域の存在を認識したときに、空白領域判定部３２は空白領域が生ずると判定し、その判定結果を罫線設定部３３に送る。
罫線設定部３３は、空白領域判定部３２により判定された空白領域に所定の罫線の画像を設定させるために、罫線の線種や濃度、方向、間隔などを設定し、その印刷実行データを印刷部１４に出力する。
【００２０】
印刷部１４は、給紙、画像形成、転写、定着、排紙等を行って印刷を実行可能に構成され、画像処理部１５からの印刷実行データを用紙に印刷する。印刷設定情報が両面印刷の場合、用紙の片面の他、もう一方の面にも画像処理部１５からの印刷実行データを印刷する。印刷設定情報が中折り・中とじ印刷の場合、用紙の中折りや中とじを後処理装置（図示省略）と連携して作動する。
【００２１】
図２，３は、本発明による罫線付加処理のフローチャートである。
まず、印刷ジョブが原稿のコピーである場合（ステップＳ１のＹＥＳ）、原稿読取部１１で原稿を読み取り（ステップＳ２）、画像データや印刷設定情報をコピー情報として画像記憶エリア２１や設定情報記憶エリア２２に格納し（ステップＳ３）、読み取りが完了した後（ステップＳ４のＹＥＳ）、ステップＳ５に進む。
【００２２】
一方、印刷ジョブがプリントデータのプリントである場合（ステップＳ１のＮＯ、Ｓ１４のＹＥＳ）、通信部１２で画像データや印刷設定情報をプリント情報として受信し（ステップＳ１５）、このプリント情報を画像記憶エリア２１や設定情報記憶エリア２２に格納し（ステップＳ１６）、ステップＳ５に進む。
次に、設定情報受付部３１が印刷設定情報を設定情報記憶エリア２２から読み出し、印刷設定情報が両面印刷あるいは中折り・中とじ印刷であった場合（ステップＳ５のＹＥＳ）、ステップＳ６に進む。
【００２３】
ステップＳ６では、画像処理部１５が、空白領域に対して罫線を印刷する設定が有効であるか否かを判定する。この設定が有効である場合には空白領域への罫線の付加を許可し、無効である場合には空白領域への罫線の付加を禁止すれば、ユーザが意図的に挿入した空白領域であるにも拘わらず、罫線が付加されることを防止できる。
そして、例えば表示／操作部１３で「有効にする」が選択されていた場合（ステップＳ６のＹＥＳ）、次に読み出されるページを第１ページ目と設定するために、ページ設定を０にする。
【００２４】
続いて、第１ページ目となる画像データを画像記憶エリア２１から読み出し（ステップＳ７）、空白領域判定部３２が用紙に対する空白領域の有無を判定する（ステップＳ８）。
ここで、空白領域判定部３２が、今回読み出したページの全体が空白領域（空白ページともいう）になると判定した場合や、所定の面積（例えば用紙面積の１／４）を超える空白領域が今回読み出したページの一部に形成されると判定した場合（ステップＳ８のＹＥＳ）、ステップＳ９に進んで、罫線に対する設定を確認する。なお、上記の空白領域が形成されないと判定し（ステップＳ８のＮＯ）、次ページがある場合（ステップＳ１３のＮＯ）、ステップＳ７に戻って次ページの画像データを画像記憶エリア２１から読み出す。
【００２５】
ステップＳ９では、罫線設定部３３が、罫線の線種や濃度、方向、間隔等を後述の規則に従って自動的に設定してよいか否かを判定する。例えば表示／操作部１３で「自動設定」が選択されていた場合（ステップＳ９のＹＥＳ）、図５，７，９で後述する規則に従って罫線を設定する。一方、例えば表示／操作部１３で「手動設定」が選択されていた場合（ステップＳ９のＮＯ）、罫線の設定内容が記憶部１６から読み出される。
【００２６】
次いで、画像処理部１５は、上記の設定内容に基づいて空白領域に罫線を付加する（ステップＳ１１）。この場合、罫線を付加した画像データから印刷実行データを生成し、画像記憶エリア２１に格納する（ステップＳ１２）。そして、最終ページに到達するまで（ステップＳ１３のＹＥＳ）、次ページの画像データを画像記憶エリア２１から読み出し、印刷実行データの生成と格納を繰り返す。なお、印刷設定情報が両面印刷あるいは中折り・中とじ印刷であった場合において、この最終ページとは偶数ページを意味し、仮に、画像記憶エリア２１から読み出された画像データの合計ページ数が奇数であったときには１ページ追加し、このページに罫線を付加した印刷実行データが生成される。
【００２７】
続いて、図３のステップＳ１８に進み、印刷部１４が、例えば第１ページ目となる印刷実行データを画像記憶エリア２１から読み出し（ステップＳ１８）、用紙に印刷する（ステップＳ１９）。
ステップＳ２０では、印刷部１４が、空白ページのカウントが必要であるか否かを判定する。例えば表示／操作部１３で「カウントする」が選択されていた場合（ステップＳ２０のＹＥＳ）、空白ページの枚数はカウント記憶エリア２４に格納される（ステップＳ２２）。そして、最終ページに到達するまで（ステップＳ２３のＹＥＳ）、印刷実行データの読み出しと印刷を繰り返す。なお、空白ページの枚数は、例えば（１）１ページに足りないが半ページ以上の場合には０．５ページとし、半ページ以下の場合にはカウント対象外とする。あるいは（２）罫線の本数をカウントし、累積本数が１ページ部の罫線本数に達した場合には１ページとするなどのように、カウントされる。
【００２８】
一方、例えば表示／操作部１３で「カウントしない」が選択されていた場合（ステップＳ２０のＮＯ）、空白ページではない用紙の枚数をカウント記憶エリア２４に格納する（ステップＳ２１のＮＯ、Ｓ２２）。
なお、印刷設定情報が両面印刷や中折り・中とじ印刷ではなかった場合（図２のステップＳ５のＮＯ）や、罫線を印刷する設定が無効であった場合（図２のステップＳ６のＮＯ）は、画像データを画像記憶エリア２１から読み出して印刷実行データを生成し、画像記憶エリア２１に格納する。その後、例えば第１ページ目となる印刷実行データを画像記憶エリア２１から読み出して用紙に印刷し（図３のステップＳ１８、Ｓ１９）、最終ページに到達するまで（ステップＳ２３のＹＥＳ）、印刷実行データの読み出しと印刷を繰り返す。
【００２９】
このように、用紙に対する空白領域が印刷設定情報に応じて発生した場合、空白領域には原則として罫線が印刷されるので、この罫線が付された領域をメモ欄として有効に活用することができる。また、広告のようなデータの更新作業も不要になるため、管理が複雑にならない。
また、両面印刷あるいは中折り・中とじ印刷は、表側と裏側あるいは右側と左側のように、ペアを組むページが必要になるため、本発明の空白領域の補填効果が有益になる。
【００３０】
（第１の実施形態）
図４は、本発明による罫線付加処理に係る第１の実施形態を説明する図であり、図５は、第１の実施形態の処理の流れを説明するためのフローチャートである。
この例では、文章４０を有した原稿を同じサイズの用紙に両面印刷することを想定する。詳しくは、図４（Ａ）に示すように、原稿の第１ページ目には、例えば「便利なコピー機能」が横書きで示されると共に、その具体的な例として「中とじ」、「表紙／合い紙」、「２ｉｎ１／４ｉｎ１」、「拡大連写」が同じく横書きで示されており、このページには計５行の横書きの文字からなる文章４０が印刷されている。一方、原稿の第２ページ目は空白ページである。
【００３１】
ここで、空白領域への罫線を印刷する設定は「有効にする」が選択され、罫線の設定は「自動設定」が選択されていた場合、設定情報受付部３１が両面印刷を読み出すと、空白領域判定部３２は、例えば、主走査方向や副走査方向に走査した画素値の０と１との反転回数に基づき、原稿の第１ページ目は空白領域を有しないが、原稿の第２ページ目が空白領域を有していると判定するので、罫線設定部３３が図５で説明する規則に従って罫線を空白領域に設定する。
【００３２】
具体的には図５に示すように、空白領域判定部３２は、原稿の第２ページ目が空白ページであると判定すると（ステップＳ３１のＹＥＳ）、罫線設定部３３は、この空白ページの直近ページ（例えば１ページ前）を画像記憶エリア２１から読み出し（ステップＳ３２）、ステップＳ３１に戻って当該原稿の第１ページ目が空白ページであるか否かを判定する（ステップＳ３１）。
【００３３】
本例の場合、第１ページ目には文章４０が印刷されているので（ステップＳ３１のＮＯ）、例えば、上記画素値の０と１との反転回数を参照し、罫線設定部３３は、文章４０の記載方向が縦方向か否かを判定する（ステップＳ３３）。文章４０の記載方向が縦方向であった場合（ステップＳ３３のＹＥＳ）、縦書きであると書式情報記憶エリア２３に格納するが（ステップＳ３４）、本例の第１ページ目は横書きの文章４０であるので（ステップＳ３３のＮＯ）、横書きであると書式情報記憶エリア２３に格納する（ステップＳ３５）。
【００３４】
次いで、文章４０の文字間隔、行間隔を検出して書式情報記憶エリア２３に格納した後（ステップＳ３６、Ｓ３７）、罫線設定部３３は罫線の線種を実線に設定し（ステップＳ３８）、標準の濃度で、文章４０の行間隔と同じ間隔で横書きに設定する。そして、この罫線を付加した画像データから印刷実行データが生成され、画像記憶エリア２１に格納されると共に、印刷部１４に出力される。
【００３５】
この結果、図４（Ｂ）に示すように、印刷物の表ページには、図４（Ａ）で説明した原稿の第１ページ目と同じ文章４０が印刷されるが、この印刷物の裏ページには、表ページと同じ横方向に延びた計５行の罫線５０が、例えば表ページの文字の真下に相当する位置に実線で印刷される。
このように、空白領域が１ページ全体に亘る空白ページであった場合、罫線の画像は、直近ページ（例えば１ページ前）の文章の書式情報を参考にして形成されるので、印刷物の書式に類似するメモ欄を提供可能になる。
【００３６】
なお、仮に、原稿の第１ページ目が空白ページであったときには前ページがないが、この場合、例えば罫線設定のデフォルト値を読み出して設定してもよい。
また、上記の実施形態では、空白ページに罫線を付加する例を挙げて説明した。しかし、仮に、所定の面積（例えば用紙面積の１／４）を超える空白領域が原稿の第１ページ目に存在していた場合には、印刷物の表ページにも罫線を付加してもよい。詳しくは、空白領域判定部３２は、原稿の第１ページ目が空白領域を有していると判定した場合、罫線設定部３３は、同じく原稿の第１ページ目の文章の記載方向が縦方向か否かを判定し、この文章の文字間隔、行間隔を検出し、罫線の線種等を設定できる。
【００３７】
この結果、印刷物の表ページには、原稿の第１ページ目と同じ方向に延びた罫線が、その第１ページ目の空白領域に、例えば周囲の文字の真下に相当する位置に印刷される。
このように、１ページの一部に係る空白領域であった場合、罫線の画像は、同じページの文章の書式情報を参考にして形成されることから、印刷物の書式に類似するメモ欄を提供可能になる。
【００３８】
（第２の実施形態）
図６は、本発明による罫線付加処理に係る第２の実施形態を説明する図であり、図７は、第２の実施形態の処理の流れを説明するためのフローチャートである。
この例では、文章４０ａおよび図面４１を有した原稿を同じサイズの用紙に両面印刷することを想定する。詳しくは、図６（Ａ）に示すように、原稿の第１ページ目には、例えば「こんな機能もあります」が横書きで示されると共に、その具体的な例として「鏡像」、「白地反転」、「下地消去」、「混載原稿」が同じく横書きで示されており、このページには計５行の横書きの文字からなる文章４０ａが印刷されている。
【００３９】
さらに、このページには、例えば白黒の線図で描かれた図面４１が文章４０ａの下方に印刷されている。一方、原稿の第２ページ目は空白ページである。
この場合も設定情報受付部３１が両面印刷を読み出すと、空白領域判定部３２は、例えば、上記画素値の０と１との反転回数に基づき、原稿の第２ページ目が空白領域を有していると判定するので、罫線設定部３３が図７で説明する規則に従って罫線を空白領域に設定する。さらに、例えば、上記画素値の０と１を主走査方向や副走査方向に加算すれば、行間に相当する白スペースを検出できる。そこで、空白領域判定部３２は、原稿の第１ページ目の下側半分には白スペースの検出できない領域が存在し、この第１ページ目の下側半分には図面があると判定でき、罫線設定部３３が図７で説明する規則に従って罫線を空白領域に設定する。
【００４０】
具体的には、図７のステップＳ４１からＳ４７までは図５のステップＳ３１からＳ３７までと同じであるので詳細な説明を省略すると、罫線設定部３３は、文章４０ａの記載方向、文字間隔、行間隔を検出して書式情報記憶エリア２３に格納し（ステップＳ４７）、空白領域判定部３２が、原稿の第１ページ目には図面があるか否かを判定する（ステップＳ４８）。そして、原稿の第１ページ目の上側半分には図面を有していないと判定された場合（ステップＳ４８のＮＯ）、罫線設定部３３は罫線の線種を実線に設定し（ステップＳ５０）、標準の濃度で、文章４０ａの行間隔と同じ間隔で横書きに設定する。
【００４１】
これに対し、原稿の第１ページ目の下側半分には図面を有していると判定された場合（ステップＳ４８のＹＥＳ）、罫線設定部３３は、図面に罫線が透けないように標準の濃度よりも低くするために、罫線の線種を例えば破線に設定し（ステップＳ４９）、文章４０ａの行間隔と同じ間隔で横書きに設定する。
この結果、図６（Ｂ）に示すように、印刷物の表ページには、図６（Ａ）で説明した原稿の第１ページ目と同じ文章４０ａや図面４１が印刷されるが、この印刷物の裏ページのうち上側半分には、表ページと同じ横方向に延びた計５行の罫線５０ａが、例えば表ページの文字の真下に相当する位置に実線で印刷される。
【００４２】
一方、この印刷物の裏ページのうち下側半分には、罫線５０ｂが表ページと同じ横方向に延び、かつ、罫線５０ａと同じ行間隔で示されるものの、実線ではなく破線で印刷される。
このように、罫線が付された領域をメモ欄として提供するが、図面の裏側に印刷される罫線の濃度を下げるので、裏映りによる影響を減らすことができる。
【００４３】
（第３の実施形態）
図８は、本発明による罫線付加処理に係る第３の実施形態を説明する図であり、図９は、第３の実施形態の処理の流れを説明するためのフローチャートである。
この例でも第２の実施形態と同様に、文章４０ａおよび図面４１を有した原稿を同じサイズの用紙に両面印刷することを想定しており、図８（Ａ）は図６（Ａ）と同じであるので、詳細な説明は省略する。
【００４４】
また、図９のステップＳ６１からＳ６８まで、Ｓ７０は図７のステップＳ４１からＳ４８まで、Ｓ５０と同じであるので詳細な説明を省略すると、原稿の第１ページ目の上側半分には図面を有していないと判定された場合（ステップＳ６８のＮＯ）、罫線設定部３３は罫線の線種を実線に設定するが（ステップＳ７０）、原稿の第１ページ目の下側半分には図面を有していると判定された場合（ステップＳ６８のＹＥＳ）、罫線設定部３３は標準の濃度よりも低くなるように、罫線の印刷を禁止する（ステップＳ６９）。
【００４５】
この結果、図８（Ｂ）に示すように、印刷物の表ページには、図８（Ａ）で説明した原稿の第１ページ目と同じ文章４０ａや図面４１が印刷され、この印刷物の裏ページのうち上側半分には、表ページと同じ横方向に延びた計５行の罫線５０ａが、例えば表ページの文字の真下に相当する位置に実線で印刷される。しかし、この印刷物の裏ページのうち下側半分には、罫線が印刷されずに空白領域が形成される。このように、図面の裏側に対して罫線の印刷を禁止すれば、裏映りによる影響を無くすことができる。
【００４６】
なお上記の各実施形態で記載されている技術的特徴（構成要件）は、お互いに組み合わせ可能であり、組み合わせることにより、新しい技術的特徴を形成することができる。
【符号の説明】
【００４７】
１０…画像形成装置、１１…原稿読取部、１２…通信部、１３…表示／操作部、１４…印刷部、１５…画像処理部、１６…記憶部、１７…制御部、１８…バス、２１…画像記憶エリア、２２…設定情報記憶エリア、２３…書式情報記憶エリア、２４…カウント記憶エリア、３１…設定情報受付部、３２…空白領域判定部、３３…罫線設定部、４０，４０ａ…文章、４１…図面、５０，５０ａ，５０ｂ…罫線。
【図１】
2015177232.tif 000003
【図２】
2015177232.tif 000004
【図３】
2015177232.tif 000005
【図４】
2015177232.tif 000006
【図５】
2015177232.tif 000007
【図６】
2015177232.tif 000008
【図７】
2015177232.tif 000009
【図８】
2015177232.tif 000010
【図９】
2015177232.tif 000011